【手続補正書】
【提出日】平成18年8月9日(2006.8.9)
【手続補正１】
【補正対象書類名】特許請求の範囲
【補正対象項目名】全文
【補正方法】変更
【補正の内容】
【特許請求の範囲】
【請求項１】
マッチングボードと基準ボードをユーザインターフェース上に現わす段階と；
ユーザーが前記マッチングボードにある任意のセルを選択する段階と；
演算を通じてユーザーによって選択された前記マッチングボードの特定のセルと前記基準ボードにあるパスワード記号を含んでいるセルをマッチングする段階と；
を含むことを特徴とするセルマッチングによるパスワード入力方法。
【請求項２】
ユーザーが選択した前記マッチングボードにあるセルと前記基準ボードにあるパスワード記号を含んでいるセルとをマッチングした時，ユーザーが選択しない前記マッチングボードにあるセルが前記基準ボードにあるパスワード記号ではない記号を含んでいるセルと同時にマッチングすることを特徴とする請求項１に記載のセルマッチングによるパスワード入力方法。
【請求項３】
前記マッチングボードにある特定のセルと前記基準ボードにあるパスワードを含んでいるセルをマッチングするようにするために，前記マッチングボードに関して演算を行うようにすることを特徴とする請求項１に記載のセルマッチングによるパスワード入力方法。
【請求項４】
いくつかの前記基準ボードを重ねないようにしながら，同時にユーザインターフェース上に現わすことを特徴とする請求項１に記載のセルマッチングによるパスワード入力方法。
【請求項５】
前記マッチングボードにある各セルと順にマッチングした前記基準ボードにある記号をパスワード候補とし，ユーザー認証プロセスを遂行することを特徴とする請求項１に記載のセルマッチングによるパスワード入力方法。
【請求項６】
ユーザーが前記マッチングボードにある選択したセルと前記基準ボードにあるパスワード記号を含んでいるセルのマッチングを完了したことをシステムに知らせる段階と，
前記マッチングボードにあるユーザーが選択したセルと前記基準ボードにあるパスワード記号をマッチングする過程を完了した時，前記マッチングボードのユーザーが選択した特定のセルをシステムに知らせる段階と，を含み，
前記マッチングボードのユーザーが選択した特定のセルをシステムに知らせる段階は：
特殊記号を含んでいる一つ以上のセルを前記基準ボードに現わすようにした段階と；
前記マッチングボードにあるユーザーが選択したセルと前記基準ボードにある特殊記号を含んでいるセルをマッチングする段階と；を有し，
前記マッチングボードにあるユーザーが選択したセルと前記基準ボードにある特殊記号を含んでいるセルをマッチングした時，前記基準ボードにある特殊記号を含んでいる他のセルは前記マッチングボードにあるいずれのセルともマッチングせず，
前記特殊記号を含んでいるセルとマッチングした前記マッチングボードにあるセルと順次にマッチングしていく前記基準ボードにあるセルに含まれている記号を順に接合してパスワードとして処理することを特徴とする請求項１に記載のセルマッチングによるパスワード入力方法。
【請求項７】
マッチングボードと基準ボードをユーザインターフェース上に現わす段階と；
前記マッチングボードに関して演算を行う段階と；
ユーザーが前記マッチングボードにあるパスワード記号を含んでいるセルとマッチングした前記基準ボードにあるセルを選択する段階と；
を含むことを特徴とするセルマッチングによるパスワード入力方法。
【請求項８】
前記マッチングボードに関して行う演算は，前記マッチングボードがユーザインターフェース上で見えなくする処理であることを特徴とする請求項７に記載のセルマッチングによるパスワード入力方法。
【請求項９】
前記マッチングボードをユーザインターフェース上に現わした後，予め設定された時間が経過したときにユーザインターフェース上から見えなくなるようにすることを特徴とする請求項８に記載のセルマッチングによるパスワード入力方法。
【請求項１０】
前記マッチングボードは，任意のパスワード記号を含んでいるセルからなることを特徴とする請求項７に記載のマッチングボードを示すパスワードシステム。
【請求項１１】
ユーザーが前記基準ボードにあるセルを選択すると，ユーザーが選択したセルとマッチングした前記マッチングボードにあるセルに含まれている記号をパスワード記号として処理することを特徴とする請求項７に記載のセルマッチングによるパスワード入力方法。
【請求項１２】
マッチングの基準となる一つの実像基準セルと，実像基準セルを偽装するための多数の虚像基準セルと，を含む多数のセルが羅列されて表示される基準ボードと；実像基準セルとマッチングするべき一つの実像マッチングセルと，実像マッチングセルを偽装するための多数の虚像マッチングセルと，を含む多数のセルが羅列表示されるマッチングボードと；を表示する表示手段と；
前記基準ボードと前記マッチングボードに表示されるセル群を生成するセル発生手段と；
前記セル発生手段で生成されたセル群に対する情報を受け基準ボードとマッチングボードに羅列表示する表示制御手段と；
ユーザーがパスワードを入力できるように，前記実像基準セルと前記実像マッチングセルをマッチングさせるためのマッチング手段と；
前記マッチング手段によって前記基準ボードと前記マッチングボードに羅列表示した多数のセルがマッチングする時，マッチングしたセル群を生成して認証処理手段に入力するマッチングセル処理手段と；
認証基準情報を保存するメモリと；
前記認証基準情報に基づき入力されたマッチングしたセル群に含まれた実像基準セルに実像マッチングセルがマッチングしたか否か判断してユーザーのメインシステムへの接近を許容または拒否する認証処理を遂行する認証処理手段と；
を含むことを特徴とするパスワードシステム。
【請求項１３】
前記基準ボード及び前記マッチングボードに羅列するセルに含まれる記号は数字，文字，図形，絵またはこれらの組合せを含むことを特徴とする請求項１２に記載のパスワードシステム。
【請求項１４】
前記基準ボード及び前記マッチングボードに羅列するセルは少なくとも二つの以上の互いに異なる色を含んで表示されることを特徴とする請求項１３に記載のパスワードシステム。
【請求項１５】
前記基準ボードと前記マッチングボードはグラフィックユーザインターフェースにより表示手段に表示されることを特徴とする請求項１２に記載のパスワードシステム。
【請求項１６】
前記表示手段は前記基準ボードまたは前記マッチングボードを表示し，羅列した記号を循環表示することができる機械的メカニズムを備えたことを特徴とする請求項１２〜請求項１５のいずれか１項に記載のパスワードシステム。
【請求項１７】
パスワード入力と共にユーザーＩＤを入力することを特徴とする請求項１２に記載のパスワードシステム。
【請求項１８】
通信網を通じてメインシステムに接続する通信端末機のユーザインターフェースに前記表示手段及び前記マッチング手段が具備されることを特徴とする請求項１２に記載のパスワードシステム。
【請求項１９】
通信端末機は，ユーザーのパスワード入力時に，前記基準ボードまたは前記マッチングボードの循環移動量をメインシステムに送るが，送信情報は選択的に暗号化されることを特徴とする請求項１８に記載のパスワードシステム。
【請求項２０】
通信端末機はユーザーＩＤを具備し，前記認証処理手段はユーザーＩＤに基づき前記認証基準情報をパッチすることを特徴とする請求項１８に記載のパスワードシステム。
【請求項２１】
マッチングの基準となる一つの実像基準セルと，これを偽装するための多数の虚像基準セルを含む第１セル群と；実像基準セルとマッチングするべき一つの実像マッチングセルと，これを偽装するための多数の虚像マッチングセルを含む第２セル群と；を生成する段階と；
第１セル群を表示するための基準ボードと，第２セル群を表示するためのマッチングボードと，を表示手段に表示する段階と；
前記基準ボードの実像基準セルと前記マッチングボードの実像マッチングセルをマッチング手段によってマッチングさせることでツー・パスワードを入力する段階と；
基準ボードとマッチングボードの記号がマッチングすると，マッチングした記号群を生成して認証処理手段に入力する段階と；
認証処理のための認証基準情報と入力されたマッチングした記号群に基づきユーザーのメインシステムへの接近を許諾または拒否する認証処理段階と；
を含むことを特徴とするパスワードシステムのユーザー認証方法。
【請求項２２】
前記認証処理段階は：
前記認証基準情報をパッチする段階と；
前記認証基準情報から実像基準セル群と実像マッチングセル群を誘導する段階と；
誘導された前記実像基準セル群とマッチングするセルをマッチングしたセル群で決定する段階と；
決定したセル群と誘導された実像マッチングセル群を比較する段階と；
比較結果によってユーザーのメインシステムへの接近を許諾または拒否する段階と；
を含むことを特徴とする請求項２１に記載のパスワードシステムのユーザー認証方法。
【請求項２３】
マッチングしたセル群の情報が，通信網を通じて認証処理段階を遂行する認証処理手段に提供される時，マッチングしたセル群の情報を通信端末機を表示するインデックス情報として使用することを特徴とする請求項２１に記載のパスワードシステムのユーザー認証方法。